(57)【特許請求の範囲】
【請求項１】
浴槽の洗い場側の側壁に貫通口を形成し、前記浴槽の側壁の貫通口を設けた周辺に浴槽の湯水供給金具を取り付けると共に、該湯水供給金具に湯水供給配管を取り付け、浴槽のフランジ部の洗い場側の端部から床面にかけてエプロンを設けて前記湯水供給配管及び湯水供給金具等を隠し、エプロンの前記湯水供給配管及び湯水供給金具に対応する部分に点検口を形成すると共に、点検口に着脱自在に点検蓋を装着し、点検蓋の浴槽側の面に湯水供給金具の浴槽への取り付け部から漏れる湯水を受ける水受けトレイを設けて成ることを特徴とする浴槽の水受け構造。
【請求項２】
浴槽の洗い場側の側壁に貫通口を形成し、前記浴槽の側壁の貫通口を設けた周辺に浴槽の湯水供給金具を取り付けると共に、該湯水供給金具に湯水供給配管を取り付け、浴槽のフランジ部の洗い場側の端部から床面にかけてエプロンを着脱自在に装着して前記湯水供給配管及び湯水供給金具等を隠し、エプロンを装着した際にエプロンの浴槽側の面の少なくとも前記湯水供給配管及び湯水供給金具に対応する部分に、湯水供給金具の浴槽への取り付け部から漏れる湯水を受ける水受けトレイを設けて成ることを特徴とする浴槽の水受け構造。
【請求項３】
水受けトレイの水受け部の下端部に、該水受けトレイを有するエプロン又は点検蓋を貫通してその洗い場側の面に連通する排水穴を形成して成ることを特徴とする請求項１又は２記載の浴槽の水受け構造。
【発明の詳細な説明】
【技術分野】
【０００１】
本発明は、浴槽に追焚き配管等の湯水供給配管を固定する湯水供給金具の取り付け部からの水漏れ被害を防止する浴槽の水受け構造に関するものである。
【背景技術】
【０００２】
従来より、浴槽には、湯水供給金具により追焚き配管等の湯水供給配管を固定している（例えば特許文献１参照）。湯水供給金具は、浴槽の洗い場側の側壁に形成した貫通口の周辺に取り付け、この湯水供給金具に湯水供給配管を取り付けることで、湯水供給配管を浴槽内に連通した状態で浴槽に固定している。また、浴槽のフランジ部の洗い場側の端部と洗い場部の浴槽側の端部との間にはエプロンが着脱自在に設けてあるか、あるいは、浴槽のフランジ部の洗い場側の端部と洗い場部の浴槽側の端部との間に浴槽及び洗い場部と一体にエプロンが形成してあり、前記浴槽の洗い場側の側壁に設けた湯水供給配管や湯水供給金具等を隠している。
【特許文献１】特開平１１−３２４０５０号公報
【発明の開示】
【発明が解決しようとする課題】
【０００３】
しかしながら、湯水供給金具の浴槽への取り付けが不十分である場合には、この取り付け部からの湯水の漏れ（単に水漏れという）が発生してしまい、建物躯体への悪影響が懸念されるため、漏れた湯水を受ける水受けトレイを設けたものが知られている。
【０００４】
図５（ａ）に示すように、水受けトレイ５は、浴槽１の外面の湯水供給金具２を取り付けた部分の下側に形成されると共に、図５（ｂ）に示すように、水受けトレイ５には受けた水を排水するための排水ホース９１が接続される。排水ホース９１の先端は、図６に示すように、浴槽１からの湯水を排水する浴槽１側の排水口６３に接続するには作業が煩雑で行い難いため、エプロン４を通して洗い場部６１の排水口６３に接続している。エプロン４が着脱自在である場合にはエプロン４を外して、また、エプロン４が浴槽１及び洗い場部６１と一体である場合にはエプロン４に形成した点検口４１を介して前記接続作業を行っていた。
【０００５】
しかしながら、洗い場部６１の排水口６３に接続する作業は、パッキン９２を設けたりボルトナット、ワッシャ等の固着具９３にて締結したりする作業が煩雑であると共にこれらの接続部分からの水漏れの惧れがあり、また、浴槽１を設置する際に、浴槽１から突出する水受けトレイ５をぶつけないように配慮しなければならず、浴槽１の設置作業がし難いものであった。
【０００６】
本発明は上記従来の問題点に鑑みて発明したものであって、その目的とするところは、浴槽の洗い場側の側壁に取り付けた湯水供給金具の取り付け部から漏れる湯水を受ける水受けトレイからの排水ホースをエプロンを通して洗い場部の排水口に接続する煩雑な作業が不要であると共に、浴槽を設置する際に浴槽から突出する水受けトレイをぶつけないように配慮する必要がない浴槽の水受け構造を提供することを課題とするものである。
【課題を解決するための手段】
【０００７】
上記課題を解決するために請求項１に係る発明にあっては、浴槽１の洗い場側の側壁１１に貫通口１１ａを形成し、前記浴槽１の側壁１１の貫通口１１ａを設けた周辺に浴槽１の湯水供給金具２を取り付けると共に、該湯水供給金具２に湯水供給配管３を取り付け、浴槽１のフランジ部１２の洗い場側の端部から床面Ｆにかけてエプロン４を設けて前記湯水供給配管３及び湯水供給金具２等を隠し、エプロン４の前記湯水供給配管３及び湯水供給金具２に対応する部分に点検口４１を形成すると共に、点検口４１に着脱自在に点検蓋４２を装着し、点検蓋４２の浴槽１側の面に湯水供給金具２の浴槽１への取り付け部から漏れる湯水を受ける水受けトレイ５を設けて成ることを特徴とするものである。
【０００８】
このような構成とすることで、従来のように排水ホース９１を洗い場部６１の排水口６３に接続するにあたってボルトナット等の固着具９３にて締結したりする煩雑な作業が不要となり、また、浴槽１を設置する際に浴槽１から突出する水受けトレイ５をぶつけないように配慮する必要がないものである。
【０００９】
また、請求項２に係る発明は、浴槽１の洗い場側の側壁１１に貫通口１１ａを形成し、前記浴槽１の側壁１１の貫通口１１ａを設けた周辺に浴槽１の湯水供給金具２を取り付けると共に、該湯水供給金具２に湯水供給配管３を取り付け、浴槽１のフランジ部１２の洗い場側の端部から床面Ｆにかけてエプロン４を着脱自在に装着して前記湯水供給配管３及び湯水供給金具２等を隠し、エプロン４を装着した際にエプロン４の浴槽１側の面の少なくとも前記湯水供給配管３及び湯水供給金具２に対応する部分に、湯水供給金具２の浴槽１への取り付け部から漏れる湯水を受ける水受けトレイ５を設けて成ることを特徴とするものである。
【００１０】
このような構成とすることで、従来のように排水ホース９１を洗い場部６１の排水口６３に接続するにあたってボルトナット等の固着具９３にて締結したりする煩雑な作業が不要となり、また、浴槽１を設置する際に浴槽１から突出する水受けトレイ５をぶつけないように配慮する必要がないものである。
【００１１】
また、請求項３に係る発明は、請求項１又は２に係る発明において、水受けトレイ５の水受け部５１の下端部に、該水受けトレイ５を有するエプロン４又は点検蓋４２を貫通してその洗い場側の面に連通する排水穴５２を形成して成ることを特徴とするものである。
【００１２】
このような構成とすることで、エプロン４又は点検蓋４２の裏面側で受けた湯水をその前面側の洗い場部６１に容易に排出して、洗い場部６１の排水口６３より排水することができる。
【発明の効果】
【００１３】
本発明にあっては、浴槽の洗い場側の側壁に取り付けた湯水供給金具の取り付け部から漏れる湯水を受ける水受けトレイからの排水ホースをエプロンを通して洗い場部の排水口に接続する煩雑な作業が不要であると共に、浴槽を設置する際に浴槽から突出する水受けトレイをぶつけないように配慮する必要がなく、浴槽の設置作業がし易いものである。
【発明を実施するための最良の形態】
【００１４】
以下、本発明について添付図面に基づいて説明する。図１に第一の実施形態を示し、図３に第二の実施形態を示し、図４に第三の実施形態を示す。添付図面に示すように、浴室Ｂとなるスペースの床面Ｆ上に床パンＰを設置し、床パンＰの周縁部から上方にパネルからなる壁Ｗを立設し、壁Ｗの上端部に天井を載設して浴室Ｂが形成してある。床パンＰは、洗い場部６１となる洗い場側床パンＰ１とを備え、洗い場側床パンＰ１に隣接する浴槽設置部に浴槽１を設置すると共に、浴槽１のフランジ部１２の洗い場側の端部から、洗い場側床パンＰ１の浴槽側の端部にかけてエプロン４を着脱自在に設置している。エプロン４は、浴槽１のフランジ部１２の洗い場側の端部と、浴槽側床パンの洗い場側の端部との間の上下間であって、浴室Ｂの両側の壁Ｗの全長に亘って設置してある。またあるいは、エプロン４は、浴槽１のフランジ部１２の洗い場側の端部と洗い場部６１の浴槽１側の端部との間に、浴槽１及び洗い場部６１と一体に形成してあってもよく（図５参照）、この場合には、エプロン４の一部に点検口４１を形成すると共に、点検口４１に着脱自在に点検蓋４２を装着するものである。
【００１５】
浴槽１には、図１に示すように、追焚き配管等の湯水供給配管３が固定される。浴槽１には、湯水供給配管３から湯水を浴槽１内に供給するための貫通口１１ａを洗い場側の側壁１１に形成すると共に、浴槽１の側壁１１の貫通口１１ａを設けた周辺に浴槽１の湯水供給金具２を取り付けて固定する。そして、この湯水供給金具２に湯水供給配管３を取り付けて固定することで、湯水供給配管３を前記貫通口１１ａを介して浴槽１内に連通させている。なお、エプロン４が浴槽１及び洗い場部６１と一体の場合には、エプロン４に形成した点検口４１に対応する位置に貫通口１１ａを形成すると共に、この貫通口１１ａを設けた浴槽１の外面に湯水供給金具２を取り付ける。
【００１６】
そして本実施形態では、点検蓋４２に、湯水供給金具２の浴槽１への取り付け部から漏れる湯水を受ける水受けトレイ５を設けるものである。水受けトレイ５は、点検蓋４２の裏面（すなわち浴槽１側の面）に形成される上方に凹となる水受け部５１を有するもので、点検蓋４２を点検口４１に装着して閉塞した状態で、湯水供給金具２の下側に水受け部５１が位置するように形成される。すなわち、水受けトレイ５の先端部（浴槽側の端部）は、浴槽１の側壁１１に当接し、側壁１１を流下する湯水を受けることができる。
【００１７】
水受けトレイ５の水受け部５１の下端部には、該水受けトレイ５を有するエプロン４又は点検蓋４２を貫通してその前面（すなわち洗い場側の面）側に連通する排水穴５２が形成してある。また、洗い場部６１の床面Ｆの浴槽１側の端辺には、洗い場部６１から湯水を排水する排水口６３が形成してあり、点検蓋４２に形成した前記排水穴５２から排水される湯水が排水口６３へと流入して排出される。なお、図２に示すように、排水穴５２を、水受け部５１の前端部の底面よりも下方に凹没させると共に該水受けトレイ５を有する点検蓋４２を貫通してその前面側に連通するようにしてもよい。
【００１８】
上記構成によれば、従来のように排水ホースを洗い場部６１の排水口６３に接続するにあたってボルトナット等の固着具にて締結したりする煩雑な作業が不要となり、また、浴槽１を設置する際に浴槽１から突出する水受けトレイ５をぶつけないように配慮する必要がなく、浴槽の設置作業がし易いものである。
【００１９】
また、水受けトレイ５を有する点検蓋４２を貫通して排水穴５２を形成したことで、点検蓋４２の裏面側の水受けトレイ５で受けた湯水をその前面側の洗い場部６１に容易に排出して、洗い場部６１の排水口６３より排水することができる。
【００２０】
次に、第二の実施形態について図３に基づいて説明する。なお、第二の実施形態は第一の実施形態と大部分において同じであるため、同じ部分については同符号を付して説明を省略し、異なる部分について説明する。
【００２１】
本実施形態では、点検蓋４２を装着した状態で、裏面に設けた水受けトレイ５の先端部が浴槽１の側壁１１から距離をおいて位置する。そして、浴槽１の側壁１１の貫通口１１ａを設けた部分の下側に、側壁１１から洗い場部６１側に向けて突出する補助トレイ５３を設けている。補助トレイ５３は、前端部が前斜め下方に傾斜しており、その先端部の下方に前記水受けトレイ５が位置している。湯水供給金具２の浴槽１への取り付け部から漏れる湯水は、まず補助トレイ５３によって受けられると共に、その先端部から流下して水受けトレイ５によって受けられるものである。これにより、水受けトレイ５の点検蓋４２の裏面からの突出量が少なくて済み、点検蓋４２を装着する作業がし易くなる。
【００２２】
次に、第三の実施形態について図４に基づいて説明する。なお、上記第一の実施形態と同じ部分については同符号を付して説明を省略し、異なる部分について説明する。
【００２３】
エプロン４を浴槽１のフランジ部１２の洗い場側の端部に設置した状態で、エプロン４の裏面から突出する水受けトレイ５は、湯水供給金具２の下側に水受け部５１が位置するように形成される。すなわち、水受けトレイ５の先端部（浴槽側の端部）は、浴槽１の側壁１１に当接し、側壁１１を流下する湯水を受けることができる。水受けトレイ５の左右長さは、少なくとも湯水供給金具２の左右の長さと同等であればよいが、エプロン４の左右全長に亘って設けてもよい。
【００２４】
また水受けトレイ５の水受け部５１の下端部には、該水受けトレイ５を有するエプロン４又は点検蓋４２を貫通してその前面側に連通する排水穴５２が形成してある。
【００２５】
上記構成によれば、第一及び第二の実施形態と同様に、従来のように排水ホースを洗い場部６１の排水口６３に接続するにあたってボルトナット等の固着具にて締結したりする煩雑な作業が不要となり、また、浴槽１を設置する際に浴槽１から突出する水受けトレイ５をぶつけないように配慮する必要がなく、浴槽の設置作業がし易いものである。
【００２６】
また、水受けトレイ５を有するエプロン４又は点検蓋４２を貫通して排水穴５２を形成したことで、エプロン４又は点検蓋４２の裏面側の水受けトレイ５で受けた湯水をその前面側の洗い場部６１に容易に排出して、洗い場部６１の排水口６３より排水することができる。
【図面の簡単な説明】
【００２７】
【図１】本発明の第一実施形態を示し、（ａ）は概略斜視図であり、（ｂ）は要部側断面図である。
【図２】同上において水受けトレイの他例を示し、（ａ）は斜視図であり、（ｂ）は側断面図である。
【図３】第二の実施形態を示し、（ａ）は概略斜視図であり、（ｂ）は要部側断面図である。
【図４】第三の実施形態の概略斜視図である。
【図５】従来例を示し、（ａ）は水受けトレイへの排水ホースの接続部分を説明する斜視図である。
【図６】同上の従来例の排水ホースの洗い場部の排水口への接続を説明する分解斜視図である。
【符号の説明】
【００２８】
１    浴槽
１１  側壁
１２  フランジ部
２    湯水供給金具
３    湯水供給配管
４    エプロン
４１  点検口
４２  点検蓋
５    水受けトレイ
【図１】
0004981638.tif 000002
【図２】
0004981638.tif 000003
【図３】
0004981638.tif 000004
【図４】
0004981638.tif 000005
【図５】
0004981638.tif 000006
【図６】
0004981638.tif 000007